(57)【特許請求の範囲】
【請求項１】
デジタルテレビジョン放送受信装置であって、
各々がチューナと復調部からなる複数のフロントエンドと、
スキャンニングの対象となる周波数帯を前記フロントエンドの数で分割して、各分割周波数帯を前記複数のフロントエンドで並列スキャンニング処理させることにより、全放送局の選局情報データおよび番組情報データを取得する、単一のＴＳデコーダを有するデータ取得手段とを具備し、
前記データ取得手段は、
前記複数のフロントエンドの並列スキャンニング処理を制御する複数のフロントエンドスキャンニング制御手段と、
前記複数のフロントエンド各々から出力されるＴＳ信号から映像データ、音声データ、セクションを分離する単一のＴＳデコーダと、
このＴＳデコーダで分離されたセクションから前記選局情報データおよび番組情報データを取得するセクションデコード手段と、
このセクションデコード手段で取得された前記選局情報データおよび番組情報データを保存するメモリと、
前記複数のフロントエンドと前記単一のＴＳデコーダ間に介在され、単一のＴＳデコーダに対して接続されるフロントエンドを選択するＴＳ選択部と、
前記フロントエンドが前記ＴＳデコーダを使用する場合の許可、待機を制御する同期制御手段および前記ＴＳ選択部の選択動作を制御するＴＳ選択回路制御手段を有して、前記単一のＴＳデコーダを前記複数のフロントエンドで共有する動作を制御する制御手段とを有する
ことを特徴とする放送受信装置。
【発明の詳細な説明】
【０００１】
【発明の属する技術分野】
本発明は、放送受信装置に関する。
【０００２】
【従来の技術】
従来のデジタル放送（テレビジョン放送）受信装置の構成例を図８に示す。
地上デジタルテレビジョン放送では、受信周波数範囲がＵＨＦ１３ｃｈ〜６２ｃｈ（４７０ＭＨｚ〜７７０ＭＨｚ）と規定されている。その受信周波数範囲のＲＦ信号を入力とし、所望の放送局にチューニングするチューナ６０１−１がフロントエンド６０１の一部として設けられる。チューナ６０１−１に対するチューニング周波数（チャンネル）の指定は、ユーザのプリセット（例えば１〜１２の数字）ボタン押下、すなわちリモコン、タッチパネル等のユーザ入力装置６０４の操作に伴い該装置６０４からの操作信号（１〜１２の数字が押下された信号）をマイコン６０３のユーザ入力手段６０３−１が受信し、受信した操作信号に従いマイコン６０３の選局手段６０３−２が制御する。プリセット番号に対応する放送局−周波数等情報テーブルは事前にチャンネルメモリ６０５に記憶されており、マイコン６０３は瞬時にチューナ６０１−１に指示することができる。
【０００３】
チューナ６０１−１にて周波数変換されたＩＦ信号は、同じくフロントエンド６０１の一部である復調部６０１−２に供給され、この復調部６０１−２にて日本の地上デジタル放送で規定されているＯＦＤＭ変調された信号をＭＰＥＧのトランスポートストリーム（ＴＳ）信号に復調する。復調時にＯＦＤＭ変調信号の変調パラメータである伝送モードとガードインターバルの値を復調部６０１−２に与えることで、復調時間を短縮させることが可能である。伝送モードとガードインターバルの値を上記チャンネルメモリ６０５に周波数と同様に記録させておくことで、マイコン６０３はチューナ６０１−１への指示と同時に復調部６０１−２に対して伝送モードとガードインターバルを指示することが可能になる。
【０００４】
チャンネルメモリ６０５に記憶されているプリセット番号に対応する放送局−周波数等情報テーブルの例を図９に示す。
【０００５】
バックエンド６０２内のＭＰＥＧ ＴＳデコーダ６０２−１では、可変長のパケット信号が多重化されているＴＳ信号を入力とし、映像データ（ＰＥＳ：Ｐａｃｋｅｔｉｚｅｄ  Ｅｌｅｍｅｎｔａｒｙ  Ｓｔｒｅａｍ）、音声データ（ＰＥＳ：Ｐａｃｋｅｔｉｚｅｄ  Ｅｌｅｍｅｎｔａｒｙ  Ｓｔｒｅａｍ）と、セクション（Ｓｅｃｔｉｏｎ）を分離する。
【０００６】
上記映像データ、音声データはそれぞれＩＤ（パケットＩＤ）が割り振られており識別可能な仕組みになっている。
セクションとは、選局しようとする放送がどの映像データＩＤ、音声データＩＤで送られているのか等、選局に必要な情報を含むＰＳＩ（Ｐｒｏｇｒａｍ  Ｓｐｅｃｉｆｉｃ  Ｉｎｆｏｒｍａｔｉｏｎ）と、その放送局ではどのような番組が放送されているのか、今後の放送予定は何か等の電子番組表（ＥＰＧ）を作成するのに必要な情報を含むＳＩ（Ｓｅｒｖｉｃｅ  Ｉｎｆｏｒｍａｔｉｏｎ）を送信することが可能なデータフォーマットである。ＰＳＩ、ＳＩに対しても、その種類に応じてパケットＩＤが割り振られている。
マイコン６０３のセクションデコード手段６０３−３は、所望のＰＳＩ、ＳＩのパケットＩＤをＭＰＥＧ ＴＳデコーダ６０２−１に対して指定し、指定されたＰＳＩ、ＳＩを含むセクションをＴＳ信号から分離させ、ＰＳＩ、ＳＩを抽出し、解析する。
【０００７】
マイコン６０３の選局手段６０３−２は、セクションデコード手段６０３−３を介してＰＳＩを抽出し、解析し、そこから得られる映像データＩＤ、音声データＩＤをＭＰＥＧ ＴＳデコーダ６０２−１に指定する。
指定された映像データＩＤ、音声データＩＤに従い、ＭＰＥＧ ＴＳデコーダ６０２−１は、映像データ、音声データをＴＳ信号から分離し、ＭＰＥＧ ＡＶデコーダ６０２−２へ入力する。
【０００８】
ＭＰＥＧ ＡＶデコーダ６０２−２は映像・音声データをデコードし、映像信号は映像画像多重／切替部６０２−３を介して映像信号出力部６０２−４へ、音声信号は音声信号出力部６０２−５へ入力される。
【０００９】
ＰＳＩの中に、ＮＩＴ（Ｎｅｔｗｏｒｋ  Ｉｎｆｏｒｍａｔｉｏｎ  Ｔａｂｌｅ）と呼ばれる情報テーブルがある。このテーブルには、ネットワーク名（放送局名と同義と考えて良い）に関連した周波数、伝送モード、ガードインターバルの値が格納されている。これら周波数等のデータは、この後説明するスキャンニングの過程で得られ、ＴＳ信号から分離、抽出され、比較参照（例えば、所望の放送局の周波数であるか等）した上で、チャンネルメモリ６０５に書き込まれる。
【００１０】
セクションで送られるデータには、上述したように電子番組表（ＥＰＧ）を作成するのに必要なＳＩも送られてくる。電子番組表の作成に必要な情報テーブルとして、ＥＩＴ（Ｅｖｅｎｔ  Ｉｎｆｏｒｍａｔｉｏｎ  Ｔａｂｌｅ）がある。マイコン６０３はセクションデコード手段６０３−３により、ＭＰＥＧ ＴＳデコーダ６０２−１に対して、ＥＩＴを含むセクションを分離するよう指示を行い、分離されたセクションから、セクションデコード手段６０３−３がＥＩＴを抽出、解析し、所望の番組情報データを取得する。これら番組情報データは、現在放送中の番組を基準にしたそれ以降の番組情報なので、番組の終了とともに更新される内容であり、チャンネルメモリ６０５に格納されるデータとは異なり、ＲＡＭに保持されるデータである。ＲＡＭは、ここではＥＰＧデータベースメモリ６０６として、不揮発性であるチャンネルメモリ６０５と区別して示す。番組情報登録手段６０３−４が、番組情報データをＥＰＧデータベースメモリ６０６に書き込む。
【００１１】
ユーザがユーザ入力装置６０４によりＥＰＧの表示命令を行った場合、マイコン６０３のユーザ入力手段６０３−１はＥＰＧ表示命令を受け取り、ＥＰＧ作成表示手段６０３−５により、グラフィック生成部６０２−６に対して、上記ＥＰＧデータベースメモリ６０６をもとに電子番組表の画像を生成させる。さらに、映像画像多重／切替部６０２−３を操作し、上記グラフィック生成部６０２−６で作成した電子番組表画像を映像信号に多重させる（映像に透明色の画像を重ねる。すなわち映像が透けて見える）もしくは切り替える（映像のみか、画像のみが表示される）。
【００１２】
上記で説明した選局ならびに電子番組表を高い応答性で実現するためには、チャンネルメモリ６０５とＥＰＧデータベースメモリ６０６に然るべきデータを事前に書き込む必要がある。
周波数等が事前に分からない場合に、上記選局機能を実現するためには、放送で規定されている最低周波数から最高周波数までチューニングを連続的に行うスキャンニングを行う必要がある。
また、新聞ラジオ・テレビ欄のように、放送されている全局の番組を同時に表示させるためにも、スキャンニングを行い、最新のＥＰＧデータに書き換える必要がある。
【００１３】
周波数取得のためのスキャンニングと、ＥＰＧデータ取得のためのスキャンニングは、目的が異なることから別々に動作させることも可能であるが、ここでは同時に実行した場合の説明を行う。
【００１４】
図１０に、全周波数をスキャンニングする場合の流れ図を示す。以下の処理は、図８のフロントエンドスキャンニング制御手段６０３−６が行う。
（１）最初の周波数をセットする（ステップ８０１）。
（２）チューナ６０１−１は、チューニングを実行する（ステップ８０２）。
（３）復調部６０１−２は、ＯＦＤＭ復調の手順に従い、伝送モードとガードインターバルを推定する（ステップ８０３）。
（４）復調部６０１−２は、上記伝送モードとガードインターバルに従いＦＦＴ処理を行い、ＯＦＤＭ同期を試みる（ステップ８０４）。
（５）同期が確定できなければ、次に周波数有無の判定（ステップ８０９）にジャンプする（ステップ８０５）。
（６）同期が確定したら復調部６０１−２は、ＴＭＣＣを受信復号し、ＴＭＣＣを基に誤り訂正等を行い、ＭＰＥＧ ＴＳ信号に復号する（ステップ８０６）。
（７）上記過程で得られた周波数、伝送モード、ガードインターバルを一時保存する。
（８）ＭＰＥＧ ＴＳデコーダ６０２−１出力からセクションデコード手段６０３−３でＮＩＴを復号し、（７）の内容と比較し、周波数等登録手段６０３−７により、チャンネルメモリ６０５に保存させる（ステップ８０７）。
（９）ＭＰＥＧ ＴＳデコーダ６０２−１出力からセクションデコード手段６０３−３でＥＩＴ等を復号し、電子番組表に必要なデータを復号し、番組情報登録手段６０３−４により、ＥＰＧデータベースメモリ６０６に保存させる（ステップ８０８）。
（１０）次の周波数の有無を判定し（ステップ８０９）、無ければ終了。
（１１）次の周波数を設定し、（２）に戻る（ステップ８１０）。
（１２）最後の周波数まで繰り返す。
【００１５】
【発明が解決しようとする課題】
上記ＮＩＴ及びＥＩＴは、地上デジタル放送では各放送局が送信するＴＳにおいて自局の情報のみしか送出されない。これは、全局の情報を多重するとセクションが伝送帯域に占める割合が高くなり、伝送帯域上問題がある（映像データ及び音声データの伝送レートをなるべく高レートで送りたい）ことと、各局の情報をまとめる仕組み及びその運営をだれが行うか等の運用上の問題があるからである。
従って、全チャンネルのデータを必要とする場合は、スキャンニングする必要がある。
しかも、ＥＩＴの場合は、番組単位でデータが更新されることから頻繁にスキャンニングする必要がある。
しかし、スキャンニング中は番組（映像・音声）を視聴できないことから、なるべく短時間でスキャンニングが完了することが望まれる。
また、特に車載用受信装置において確実にスキャンニングを行う場合は、受信の取りこぼしが発生する可能性があることから、受信状態が安定した見晴らしの良い場所で停車した状態で行いたい。この場合も短時間でのスキャンニングの要求が大きい。
【００１６】
しかし、上記スキャンニング方法は、アナログ放送で使われてきた方法の延長であるが、デジタル放送では、アナログ放送に比べ非常に時間がかかる問題がある。
すなわち、ＦＦＴ処理、同期確定までにも時間がかかるし、その後にも、誤り訂正、デインターリーブ処理等、復調部での処理があるからである。
また、ＥＩＴ等は周期的に伝送されるものであり、その伝送周期は数秒（運用次第）かかる。最悪その周期分、待つ必要がある。
したがって、以上の処理を、ＵＨＦ１３ｃｈから６２ｃｈの広範囲にわたって行うには非常に時間がかかる。
【００１７】
本発明は上記の点に鑑みなされたもので、全放送局の選局情報データおよび番組情報データを取得するためのスキャニングを高速で処理し、スキャニング時間を短縮することができる放送受信装置を提供することを目的とする。
【００１８】
【課題を解決するための手段】
本発明の放送受信装置は、デジタルテレビジョン放送受信装置であって、各々がチューナと復調部からなる複数のフロントエンドと、スキャンニングの対象となる周波数帯を前記フロントエンドの数で分割して、各分割周波数帯を前記複数のフロントエンドで並列スキャンニング処理させることにより、全放送局の選局情報データおよび番組情報データを取得する、単一のＴＳデコーダを有するデータ取得手段とを具備し、前記データ取得手段は、前記複数のフロントエンドの並列スキャンニング処理を制御する複数のフロントエンドスキャンニング制御手段と、前記複数のフロントエンド各々から出力されるＴＳ信号から映像データ、音声データ、セクションを分離する単一のＴＳデコーダと、このＴＳデコーダで分離されたセクションから前記選局情報データおよび番組情報データを取得するセクションデコード手段と、このセクションデコード手段で取得された前記選局情報データおよび番組情報データを保存するメモリと、前記複数のフロントエンドと前記単一のＴＳデコーダ間に介在され、単一のＴＳデコーダに対して接続されるフロントエンドを選択するＴＳ選択部と、前記フロントエンドが前記ＴＳデコーダを使用する場合の許可、待機を制御する同期制御手段および前記ＴＳ選択部の選択動作を制御するＴＳ選択回路制御手段を有して、前記単一のＴＳデコーダを前記複数のフロントエンドで共有する動作を制御する制御手段とを有することを特徴とする。
【００２１】
【発明の実施の形態】
次に添付図面を参照して本発明による放送受信装置の実施の形態を詳細に説明する。図１は本発明による放送受信装置の第１の実施の形態を示すブロック図である。この第１の実施の形態の放送受信装置は、フロントエンドが２系統あることが図８の従来例と大きく相違する。すなわち、チューナと復調部とを合わせてフロントエンドと呼ぶが、このフロントエンドが第１フロントエンド１０１と第２フロントエンド１０２の２系統ある。第１フロントエンド１０１は第１チューナ１０１−１と第１復調部１０１−２からなる。第２フロントエンド１０２は第２チューナ１０２−１と第２復調部１０２−２からなる。
【００２２】
また、この第１フロントエンド１０１と第２フロントエンド１０２の出力がＴＳ選択部１０３を介してバックエンド６０２内の１つのＭＰＥＧ ＴＳデコーダ６０２−１の入力に接続される。
【００２３】
さらに、マイコン６０３内には、２系統のフロンドエンドに対応して、第１フロントエンドスキャンニング制御手段６０３−８と第２フロントエンドスキャンニング制御手段６０３−９が設けられ、さらに、ＴＳ選択回路制御手段６０３−１０と同期制御手段６０３−１１が追加される。
【００２４】
マイコン６０３のその他の構成、すなわち、ユーザ入力手段６０３−１、選局手段６０３−２、セクションデコード手段６０３−３、番組情報登録手段６０３−４、ＥＰＧ作成表示手段６０３−５、周波数等登録手段６０３−７は、図８の従来例と同一である。さらに、バックエンド６０２の構成、すなわち、ＭＰＥＧＴＳデコーダ６０２−１、ＭＰＥＧ ＡＶデコーダ６０２−２、音声信号出力部６０２−５、グラフィック生成部６０２−６、映像画像多重／切替部６０２−３、映像信号出力部６０２−４も図８の従来例と同一である。さらに、ユーザ入力装置６０４、チャンネルメモリ６０５、ＥＰＧデータベースメモリ６０６も図８の従来例と同一である。これら同一部分には、上記のように図８の従来例と同一符号を付す。
【００２５】
２系統のフロントエンド１０１，１０２は、通常の受信状態においては、合成ダイバーシティ受信に利用される。合成ダイバーシティ受信は本発明の特徴ではないので、合成ダイバーシティアルゴリズムをここでは言及しないが、例えばＯＦＤＭのキャリア単位で合成する場合、第１フロントエンド１０１がマスタで、第２フロントエンド１０２がスレーブの関係とすると、第２フロントエンド１０２の第２復調部１０２−２から、ＦＦＴ処理後のデータが第１フロントエンド１０１の第１復調部１０１−２に入力される。そして、第１復調部１０１−２においてキャリアごとの合成を行い、合成後の処理は第１復調部１０１−２で信号処理を行い、第１復調部１０１−２からＭＰＥＧ ＴＳ信号を出力する。
また、ＴＳ選択部１０３では常に第１フロントエンド１０１からの出力を選択するようになっており、ＴＳ選択部１０３から出力されたＴＳ信号はバックエンド６０２に入力され、映像、音声がデコードされる。
このとき、第１フロントエンド１０１および第２フロントエンド１０２の両方に対して、マイコン６０３の選局手段６０３−２は同一の周波数、伝送モード、ガードインターバルを指示するとともに、スキャンモード指示はＯＦＦ、すなわちダイバーシティ受信モードであることを指示する。また、ＴＳ選択部１０３に対しては、マイコン６０３のＴＳ選択回路制御手段６０３−１０が第１フロントエンド１０１からの出力を選択するように指示する。
【００２６】
一方、ユーザがユーザ入力装置６０４によりスキャンニング命令を指示すると、マイコン６０３のユーザ入力手段６０３−１はスキャンニング実行命令を受け取り、第１フロントエンド１０１および第２フロントエンド１０２に対して、スキャンモード指示がＯＮ、すなわちスキャンニングモードであることを指示し、マスタ、スレーブの関係を解消し、各々独立に制御できるようにする。そして、本実施の形態の放送受信装置では、スキャンニングの対象となる周波数帯を２分割して、各分割周波数帯を、独立に制御される第１および第２フロントエンド１０１，１０２により、すなわち２系統のフロントエンドにより並列スキャンニング処理をして、全放送局のＮＩＴおよびＥＩＴを取得する。
【００２７】
その場合の第１フロントエンド１０１でのスキャンニングの流れを図２に示し、以下説明する。以下の処理は第１フロントエンドスキャンニング制御手段６０３−８が行う。
（１）スキャンニングの対象となる周波数帯を２分割した前半の最初の周波数をセットする（ステップ２０１）。
（２）第１チューナ１０１−１は、チューニングを実行する（ステップ２０２）。
（３）第１復調部１０１−２は、ＯＦＤＭ復調の手順に従い伝送モードとガードインターバルを推定する（ステップ２０３）。
（４）第１復調部１０１−２は、上記伝送モードとガードインターバルに従い、ＦＦＴ処理を行い、ＯＦＤＭ同期を試みる（ステップ２０４）。
（５）同期を確定できなければ、次に周波数有無の判定（ステップ２１０）にジャンプする（ステップ２０５）。
（６）同期が確定したら、第１復調部１０１−２は、ＴＭＣＣを復号し、ＴＭＣＣを基に誤り訂正等を行い、ＭＰＥＧ ＴＳ信号に復号する。
（７）同期制御手段６０３−１１に対して、バックエンド６０２（より詳細にはバックエンド６０２内のＭＰＥＧ ＴＳデコーダ６０２−１）の使用許可を求める（ステップ２０６）。
（８）バックエンド６０２（ＭＰＥＧ ＴＳデコーダ６０２−１）が既に使用中であれば、そこで待機している。
（９）同期制御手段６０３−１１により使用許可が発行されたら、ＴＳ選択回路制御手段６０３−１０に対して、ＴＳ選択部１０３でのＴＳ選択を第１フロントエンド１０１側に切替えさせ、第１フロントエンド１０１とバックエンド６０２（ＭＰＥＧ ＴＳデコーダ６０２−１）とを接続する。
（１０）上記過程で得られた周波数、伝送モード、ガードインターバルを一時保存する。
（１１）ＭＰＥＧ ＴＳデコーダ６０２−１出力からセクションデコード手段６０３−３でＮＩＴを復号し、（１０）の内容と比較し、周波数等登録手段６０３−７によりチャンネルメモリ６０５に保存させる（ステップ２０７）。
（１２）ＭＰＥＧ ＴＳデコーダ６０２−１出力からセクションデコード手段６０３−３でＥＩＴ等を復号し、電子番組表に必要なデータを復号し、番組情報登録手段６０３−４によりＥＰＧデータベースメモリ６０６に保存させる（ステップ２０８）。
（１３）同期制御手段６０３−１１に対して、バックエンド６０２（ＭＰＥＧ ＴＳデコーダ６０２−１）の使用許可を開放する（ステップ２０９）。
（１４）次の周波数の有無を判定し（ステップ２１０）、無ければ終了。
（１５）次の周波数を設定し、（２）に戻る（ステップ２１１）。
（１６）周波数帯を２分割した前半の最後の周波数まで繰り返す。
【００２８】
図３に、第２フロントエンド１０２でのスキャンニングの流れを示す。第１フロントエンド１０１への制御と同様に、図３に示す以下の処理は第２フロントエンドスキャンニング制御手段６０３−９が行う。
（１）スキャンニングの対象となる周波数帯を２分割した後半の最初の周波数をセットする（ステップ３０１）。
（２）第２チューナ１０２−１は、チューニングを実行する（ステップ３０２）。
（３）第２復調部１０２−２は、ＯＦＤＭ復調の手順に従い伝送モードとガードインターバルを推定する（ステップ３０３）。
（４）第２復調部１０２−２は、上記伝送モードとガードインターバルに従い、ＦＦＴ処理を行い、ＯＦＤＭ同期を試みる（ステップ３０４）。
（５）同期を確定できなければ、次に周波数有無の判定（ステップ３１０）にジャンプする（ステップ３０５）。
（６）同期が確定したら、第２復調部１０２−２は、ＴＭＣＣを復号し、ＴＭＣＣを基に誤り訂正等を行い、ＭＰＥＧ ＴＳ信号に復号する。
（７）同期制御手段６０３−１１に対して、バックエンド６０２（ＭＰＥＧ ＴＳデコーダ６０２−１）の使用許可を求める（ステップ３０６）。
（８）バックエンド６０２（ＭＰＥＧ ＴＳデコーダ６０２−１）が既に使用中であれば、そこで待機している。
（９）同期制御手段６０３−１１により使用許可が発行されたら、ＴＳ選択回路制御手段６０３−１０に対して、ＴＳ選択部１０３でのＴＳ選択を第２フロントエンド１０２側に切替えさせ、第２フロントエンド１０２とバックエンド６０２（ＭＰＥＧ ＴＳデコーダ６０２−１）とを接続する。
（１０）上記過程で得られた周波数、伝送モード、ガードインターバルを一時保存する。
（１１）ＭＰＥＧ ＴＳデコーダ６０２−１出力からセクションデコード手段６０３−３でＮＩＴを復号し、（１０）の内容と比較し、周波数等登録手段６０３−７によりチャンネルメモリ６０５に保存させる（ステップ３０７）。
（１２）ＭＰＥＧ ＴＳデコーダ６０２−１出力からセクションデコード手段６０３−３でＥＩＴ等を復号し、電子番組表に必要なデータを復号し、番組情報登録手段６０３−４によりＥＰＧデータベースメモリ６０６に保存させる（ステップ３０８）。
（１３）同期制御手段６０３−１１に対して、バックエンド６０２（ＭＰＥＧ ＴＳデコーダ６０２−１）の使用許可を開放する（ステップ３０９）。
（１４）次の周波数の有無を判定し（ステップ３１０）、無ければ終了。
（１５）次の周波数を設定し、（２）に戻る（ステップ３１１）。
（１６）周波数帯を２分割した後半の最後の周波数まで繰り返す。
【００２９】
図４および図５は、従来例のスキャンニングと上記本発明のスキャンニングを時間軸で比較した模式図である。理解を容易にするために、チャンネルの総数が８の場合で記述している。図４は、ｆ１、ｆ３、ｆ６、ｆ７、ｆ８が放送されている場合で、図５は全チャンネルが放送されている場合を示している。
【００３０】
ｔ１は同期を確定するまでの時間、すなわち図２および図３におけるＯＦＤＭ同期判定（ステップ２０５，３０５）までの時間を示す。ＯＦＤＭ同期が確定しない、すなわち放送されていない場合（例えば図４のチャンネルｆ２）（符号４０１）は、次のチャンネルへと移行する。
ｔ２はバックエンド６０２（ＭＰＥＧ ＴＳデコーダ６０２−１）の使用許可が下りた後（ステップ２０６，３０６）、ＴＳ選択部１０３でのＴＳ選択がされ、バックエンド６０２（ＭＰＥＧ ＴＳデコーダ６０２−１）およびセクションデコード手段６０３−３にてＮＩＴ、ＥＩＴ等を取得し、チャンネルメモリ６０５に周波数等データを保存し、かつＥＰＧデータベースメモリ６０６に番組情報データを保存するまでの時間を示している（ステップ２０７〜２０９，３０７〜３０９）。
ｔ１，ｔ２とも一定の時間にはならない。特にｔ２に関しては、バックエンド６０２（ＭＰＥＧ ＴＳデコーダ６０２−１）にＭＰＥＧ ＴＳ信号が入力されてすぐのタイミングでＮＩＴ、ＥＩＴ等を取得する可能性もあるからである。ここでは、理解を容易にするため、一定の時間で示している。図４のＳ（符号４０２）はバックエンド６０２（ＭＰＥＧ ＴＳデコーダ６０２−１）が使用許可になるまでの待機時間を示している。
【００３１】
同期制御手段６０３−１１について図４および図５を用いて説明する。
バックエンド６０２（ＭＰＥＧ ＴＳデコーダ６０２−１）が１つしかないため、スキャンニングモードで並列処理を行う場合、第１フロントエンド１０１と第２フロントエンド１０２でバックエンド６０２(ＭＰＥＧ ＴＳデコーダ６０２−１)を共有する必要がある。
図４および図５に示すように同期制御用フラグが１の場合にバックエンド６０２（ＭＰＥＧ ＴＳデコーダ６０２−１）が使用できることとする。
例えば、第１フロントエンド１０１でＯＦＤＭ同期が確定すると、第１フロントエンドスキャンニング制御手段６０３−８は、同期制御手段６０３−１１に対してバックエンド６０２（ＭＰＥＧ ＴＳデコーダ６０２−１）の使用許可（Ｐ命令）を求める（例えば図４の符号４０３）。
同期制御手段６０３−１１が使用可能（同期制御用フラグ＝１）と判断すれば、第１フロントエンドスキャンニング制御手段６０３−８は続けて、ＴＳ選択回路制御手段６０３−１０により第１フロントエンド１０１出力をバックエンド６０２（ＭＰＥＧ ＴＳデコーダ６０２−１）に接続させ、さらにＮＩＴ、ＥＩＴ等の取得、周波数等データ、番組情報データの保存が完了した時点で、バンクエンド使用終了命令（Ｖ命令）を行う（例えば図４の符号４０４）。
一方、Ｐ命令実行時に使用不能（同期制御用フラグ＝０）の場合（例えば図４の符号４０５）、同期制御手段６０３−１１は、要求元、ここでは第２フロントエンドスキャンニング制御手段６０３−９を待機状態にさせる。要求元から見ると予約状態とも言える。使用可能状態となった時点（例えば図４の符号４０６）で、要求元に、処理を再開させる。
上記同期制御手段６０３−１１は、ＯＳ（オペレーティングシステム）の機能として標準的に搭載されているものであり、実現は容易である。
【００３２】
そして、以上の第１実施形態の放送受信装置によれば、スキャンニングの対象となる周波数帯を２分割して、各分割周波数帯を２系統のフロントエンド１０１，１０２で並列スキャンニング処理をしたから、次のような効果を得ることができる。
・選局およびＥＰＧを高い応答性で実現するために、事前に必要な各種パラメータ（ＮＩＴおよびＥＩＴ）を取得するためのスキャンニングを高速で処理することができる。
・スキャンニング時間を短縮することができる。
・短時間でチャンネルをプリセットすることが可能である。
・短時間で全局の電子番組表を作成するのに必要なデータを取得することが可能である。
【００３３】
さらに、上記の放送受信装置によれば、単一のＭＰＥＧ ＴＳデコーダ６０２−１を２つのフロントエンド１０１，１０２が共有するが、同期制御手段６０３−１１により待機を利用して共有制御が良好に行われるから、ＭＰＥＧ ＴＳデコーダが１系統であっても、２系統のフロントエンド１０１，１０２からの全ＮＩＴおよびＥＩＴを確実に取得することができる。
【００３４】
図６は、本発明の放送受信装置の第２の実施の形態を示す。この第２の実施の形態の放送受信装置は、蓄積型サービス、すなわち通常受信時（視聴時）に裏でＭＰＥＧ ＴＳ信号をハードディスク等に記録（すなわち、映像・音声を録画・録音、データ放送コンテンツを記録）すること、に対応した放送受信装置である。したがって、フロントエンドが第１フロントエンド１０１と第２フロントエンド１０２の２系統設けられることに加えて、バックエンド６０２内のＭＰＥＧ ＴＳデコーダが第１ＭＰＥＧ ＴＳデコーダ６０２−７と第２ＭＰＥＧ ＴＳデコーダ６０２−８の２系統設けられる。そして、第１フロントエンド１０１の出力が第１ＭＰＥＧ ＴＳデコーダ６０２−７の入力に直接接続され、第２フロントエンド１０２の出力が第２ＭＰＥＧ ＴＳデコーダ６０２−８の入力に直接接続されている。
【００３５】
また、第１ＭＰＥＧ ＴＳデコーダ６０２−７の出力と第２ＭＰＥＧ ＴＳデコーダ６０２−８の出力とがＰＥＳ選択部６０２−９によって選択的にＭＰＥＧ ＡＶデコーダ６０２−２に接続されるようになっており、さらに裏のＭＰＥＧ ＴＳ信号（視聴中の信号とは異なるＭＰＥＧ ＴＳ信号）を記録するためにハードディスク等の内部蓄積装置６０２−１０がバックエンド６０２内に設けられる。一方、マイコン６０３内には、上記ＰＥＳ選択部６０２−９を制御するためのＰＥＳ選択回路制御手段６０３−１２が設けられ、さらにセクションデコード手段として、第１、第２ＭＰＥＧ ＴＳデコーダ６０２−７，６０２−８に対応して第１セクションデコード手段６０３−１３と第２セクションデコード手段６０３−１４の２つが設けられる。
【００３６】
マイコン６０３のその他の構成、すなわち、第１フロントエンドスキャンニング制御手段６０３−８、第２フロントエンドスキャンニング制御手段６０３−９、ユーザ入力手段６０３−１、選局手段６０３−２、同期制御手段６０３−１１、番組情報登録手段６０３−４、ＥＰＧ作成表示手段６０３−５、周波数等登録手段６０３−７は、図１の第１の実施の形態と同一である。さらに、バックエンド６０２の上記以外の構成、すなわち、ＭＰＥＧ ＡＶデコーダ６０２−２、音声信号出力部６０２−５、グラフィック生成部６０２−６、映像画像多重／切替部６０２−３、映像信号出力部６０２−４も図１の第１の実施の形態と同一である。さらに、ユーザ入力装置６０４、チャンネルメモリ６０５、ＥＰＧデータベースメモリ６０６も図１の第１の実施の形態と同一である。ただし、マイコン６０３の同期制御手段６０３−１１は、後述のように、チャンネルメモリ６０５およびＥＰＧデータベースメモリ６０６の共有制御を司る。また、図１のＴＳ選択部１０３およびＴＳ選択回路制御手段６０３−１０は図６では省略される。
【００３７】
このような第２の実施の形態においては、フロントエンドがやはり２系統設けられているから、スキャンニング時は、図１の第１の実施の形態と同様に、スキャンニングの対象となる周波数帯を２分割して、各分割周波数帯を２系統のフロントエンドで並列スキャンニング処理する。
【００３８】
その場合の第１フロントエンド１０１でのスキャンニングの流れを図７に示し、以下説明する。以下の処理は第１フロントエンドスキャンニング制御手段６０３−８が行う。
（１）スキャンニングの対象となる周波数帯を２分割した前半の最初の周波数をセットする（ステップ５０１）。
（２）第１チューナ１０１−１は、チューニングを実行する（ステップ５０２）。
（３）第１復調部１０１−２は、ＯＦＤＭ復調の手順に従い、伝送モードとガードインターバルを推定する（ステップ５０３）。
（４）第１復調部１０１−２は、上記伝送モードとガードインターバルに従いＦＦＴ処理を行い、ＯＦＤＭ同期を試みる（ステップ５０４）。
（５）同期を確定できなければ、次に周波数有無の判定（ステップ５１０）にジャンプする（ステップ５０５）。
（６）同期が確定したら、第１復調部１０１−２は、ＴＭＣＣを復号し、ＴＭＣＣを基に誤り訂正等を行い、ＭＰＥＧ ＴＳ信号に復号する。
（７）上記過程で得られた周波数、伝送モード、ガードインターバルを一時保存する。
（８）第１ＭＰＥＧ ＴＳデコーダ６０２−７出力から第１セクションデコード手段６０３−１３でＮＩＴを復号し、（７）の内容と比較し、一時保存する。
（９）第１ＭＰＥＧ ＴＳデコーダ６０２−７出力から第１セクションデコード手段６０３−１３でＥＩＴ等を復号し、電子番組表に必要なデータを復号し、一時保存する。
（１０）同期制御手段６０３−１１に対して、チャンネルメモリ６０５、ＥＰＧデータベースメモリ６０６へのアクセス許可を求める（ステップ５０６）。
（１１）既にアクセス中であれば、そこで待機している。
（１２）同期制御手段６０３−１１によりアクセス許可が発行されたら、（８）の内容を周波数等登録手段６０３−７によりチャンネルメモリ６０５に保存させる（ステップ５０７）。
（１３）同期制御手段６０３−１１によりアクセス許可が発行されたら、（９）の内容を番組情報登録手段６０３−４によりＥＰＧデータベースメモリ６０６に保存させる（ステップ５０８）。
（１４）同期制御手段６０３−１１に対して、チャンネルメモリ６０５、ＥＰＧデータベースメモリ６０６へのアクセス許可を開放する（ステップ５０９）。
（１５）次の周波数の有無を判定し（ステップ５１０）、無ければ終了。
（１６）次の周波数を設定し、（２）に戻る（ステップ５１１）。
（１７）周波数帯を２分割した前半の最後の周波数まで繰り返す。
【００３９】
説明を省略するが第２フロントエンド１０２でのスキャンニングの流れも同様である。そして、このような第２の実施の形態においても、スキャンニングの対象となる周波数帯を２分割して、各分割周波数帯を２系統のフロントエンド１０１，１０２で並列スキャンニング処理をしたから、第１の実施の形態と同様に全放送局のＮＩＴおよびＥＩＴを高速に得ることができる。さらに、この第２の実施の形態の場合は、単一のメモリ（チャンネルメモリ６０５とＥＰＧデータベースメモリ６０６）を２系統のフロントエンド１０１，１０２、ＭＰＥＧ ＴＳデコーダ６０２−７，６０２−８、セクションデコード手段６０３−１３，６０３−１４が共有するが、同期制御手段６０３−１１による待機を利用した制御により共有制御を良好に行って、２系統からのデータを単一メモリ（チャンネルメモリ６０５とＥＰＧデータベースメモリ６０６）に良好に保存させることができる。
【００４０】
なお、上記の実施の形態では、フロントエンドを２系統設けるとともに、スキャンニングの対象となる周波数帯を２分割して、並列スキャンニング処理の並列数を２としたが、フロントエンドを３系統以上設けるとともに、スキャンニングの対象となる周波数帯の分割数を３以上として、３以上の並列数で並列スキャンニング処理を実施すれば、より高速のスキャニング処理が可能となる。
【００４１】
【発明の効果】
以上詳細に説明したように本発明の放送受信装置によれば、全放送局の選局情報データおよび番組情報データを取得するためのスキャニングを高速で処理し、スキャニング時間を短縮することができる。
【図面の簡単な説明】
【図１】本発明による放送受信装置の第１の実施の形態を示すブロック図。
【図２】本発明の第１の実施の形態の第１フロントエンドでのスキャンニングの流れを示す図。
【図３】本発明の第１の実施の形態の第２フロントエンドでのスキャンニングの流れを示す図。
【図４】従来例のスキャンニングと本発明のスキャンニングを時間軸で比較した模式図で、チャンネルｆ１，ｆ３，ｆ６，ｆ７，ｆ８が放送されている場合を示す図。
【図５】従来例のスキャンニングと本発明のスキャンニングを時間軸で比較した模式図で、全チャンネルが放送されている場合を示す図。
【図６】本発明による放送受信装置の第２の実施の形態を示すブロック図。
【図７】本発明の第２の実施の形態の第１フロントエンドでのスキャンニングの流れを示す図。
【図８】従来のデジタル放送受信装置の構成例を示すブロック図。
【図９】チャンネルメモリに記録されているプリセット番号に対応する放送局−周波数等情報テーブルの例を示す図。
【図１０】従来のデジタル放送受信装置において、全周波数をスキャンニングする場合の流れ図。
【符号の説明】
１０１  第１フロントエンド
１０２  第２フロントエンド
１０１−１，１０２−１  チューナ
１０１−２，１０２−２  復調部
６０２  バックエンド
６０２−１  ＭＰＥＧ ＴＳデコーダ
６０２−７  第１ＭＰＥＧ ＴＳデコーダ
６０２−８  第２ＭＰＥＧ ＴＳデコーダ
６０３  マイコン
６０３−８  第１フロントエンドスキャンニング制御手段
６０３−９  第２フロントエンドスキャンニング制御手段
６０３−３  セクションデコード手段
６０３−１３  第１セクションデコード手段
６０３−１４  第２セクションデコード手段
６０３−１１  同期制御手段
６０４  ユーザ入力装置
６０５  チャンネルメモリ
６０６  ＥＰＧデータベースメモリ
【図１】
0003955975.tif 000002
【図２】
0003955975.tif 000003
【図３】
0003955975.tif 000004
【図４】
0003955975.tif 000005
【図５】
0003955975.tif 000006
【図６】
0003955975.tif 000007
【図７】
0003955975.tif 000008
【図８】
0003955975.tif 000009
【図９】
0003955975.tif 000010
【図１０】
0003955975.tif 000011